(57)【特許請求の範囲】
【請求項１】
アンテナと、
前記アンテナに接続されたグラウンド部分を備えるメインボードと、
前記グラウンド部分に接続された少なくとも1つのマッチング回路網と、
シェルおよび前記シェルから延びる少なくとも1つの第1のピンを備えるUSBコネクタであって、前記少なくとも1つの第1のピンが前記少なくとも1つのマッチング回路網に接続され、前記少なくとも1つの第1のピンが前記少なくとも1つのマッチング回路網と1対1で対応する、USBコネクタとを備え、
前記メインボードがさらに導電部分を備え、
前記導電部分が前記グラウンド部分から独立しており、前記第1のピンが前記導電部分を介して前記マッチング回路網に接続され、前記マッチング回路網が前記導電部分と前記グラウンド部分との間に接続され、前記導電部分が前記マッチング回路網と1対1で対応する、ワイヤレス通信デバイス。
【請求項２】
前記メインボードがさらに、
導電部分を備え、前記導電部分が前記グラウンド部分から独立しており、前記少なくとも1つの第1のピンが前記導電部分を介して前記少なくとも1つのマッチング回路網に接続され、前記少なくとも1つのマッチング回路網が前記導電部分と前記グラウンド部分との間に接続され、前記少なくとも1つの第1ピンは少なくとも2つであり、前記少なくとも1つのマッチング回路は少なくとも2つであり、前記導電部分が前記少なくとも2つのマッチング回路網に対応する、請求項1に記載のワイヤレス通信デバイス。
【請求項３】
前記USBコネクタがさらに、前記シェルから延びる少なくとも1つの第2のピンを備え、前記少なくとも1つの第2のピンが前記グラウンド部分に接続される、請求項1または2に記載のワイヤレス通信デバイス。
【請求項４】
前記シェルが金属シェルであるか、または、前記シェルが、前記少なくとも1つの第1のピンおよび前記少なくとも1つの第2のピンを外部デバイスに電気的に接続するように構成された導電部分を備える、請求項1から3のいずれか一項に記載のワイヤレス通信デバイス。
【請求項５】
前記グラウンド部分に隣接する、前記導電部分の縁部と、前記導電部分に隣接する、前記グラウンド部分の縁部とが、矩形または弧形である、請求項1から4のいずれか一項に記載のワイヤレス通信デバイス。
【請求項６】
前記マッチング回路網が集中定数素子マッチング回路網または分布マッチング回路網を含み、前記集中定数素子マッチング回路網が、物理的な接続方法を採用することによって前記グラウンド部分および前記第1のピンに接続され、前記分布マッチング回路網が、電気的な接続方法を採用することによって前記グラウンド部分および前記第1のピンに接続される、請求項1から5のいずれか一項に記載のワイヤレス通信デバイス。
【請求項７】
前記導電部分が、前記少なくとも1つの第1のピンと前記メインボードとの重なる場所に位置し、前記導電部分の面積が前記第1のピンと前記メインボードとの重なる面積よりも大きく、前記導電部分が前記グラウンド部分に隣接し、前記マッチング回路網が、相互に分離された少なくとも2つの部分を備え、前記少なくとも2つの部分の各部分の一方の端部が前記導電部分の1つの縁部に接続され、他方の端部が前記グラウンド部分に接続される、請求項1から5のいずれか一項に記載のワイヤレス通信デバイス。
【請求項８】
前記集中定数素子マッチング回路網が、抵抗とキャパシタとインダクタとのうちの少なくとも1つによって形成されるマッチング回路を含む、請求項6に記載のワイヤレス通信デバイス。
【請求項９】
前記分布マッチング回路網がキャパシタを含み、前記キャパシタが、前記導電部分、前記グラウンド部分、および、前記導電部分と前記グラウンド部分との間の間隙、によって形成される、請求項6に記載のワイヤレス通信デバイス。
【請求項１０】
前記アンテナを含むアンテナ放射システムのワイヤレス性能を測定することによって、前記少なくとも1つのマッチング回路網のパラメータが決定される、請求項1から9のいずれか一項に記載のワイヤレス通信デバイス。
【請求項１１】
グラウンド部分を備えるメインボードを形成する段階と、
前記グラウンド部分をアンテナに接続する段階と、
前記グラウンド部分とUSBコネクタのシェルから延びる少なくとも1つの第1のピンとの間に少なくとも1つのマッチング回路網を接続する段階とを含み、前記少なくとも1つのマッチング回路網が前記少なくとも1つの第1のピンと1対1で対応し、
グラウンド部分を備えるメインボードを形成する前記段階が、
前記グラウンド部分と、前記グラウンド部分から独立した少なくとも1つの導電部分とを備えるメインボードを形成する段階を含み、
前記グラウンド部分とUSBコネクタのシェルから延びる少なくとも1つの第1のピンとの間に少なくとも1つのマッチング回路網を接続する前記段階が、
前記少なくとも1つの第1のピンを前記少なくとも1つの導電部分に固定する段階であって、前記少なくとも1つの第1のピンが前記少なくとも1つの導電部分と1対1で対応する段階と、
前記少なくとも1つのマッチング回路網を前記少なくとも1つの導電部分と前記グラウンド部分との間に接続する段階であって、前記少なくとも1つのマッチング回路網が前記少なくとも1つの導電部分と1対1で対応する段階とを含む、ワイヤレス通信デバイスの製造方法。
【請求項１２】
前記シェルから延びる少なくとも1つの第2のピンを前記グラウンド部分に接続する段階をさらに含む、請求項11に記載の方法。
【請求項１３】
前記少なくとも1つのマッチング回路網が、少なくとも1つの集中定数素子マッチング回路網、または少なくとも1つの分布マッチング回路網、または前記少なくとも1つの集中定数素子マッチング回路網と前記少なくとも1つの分布マッチング回路網との組合せを含む、請求項11または12のいずれか一項に記載の方法。
【請求項１４】
前記アンテナを含むアンテナ放射システムのワイヤレス性能を測定することによって、前記少なくとも1つのマッチング回路網のパラメータが決定される、請求項11から13のいずれか一項に記載の方法。
【発明の詳細な説明】
【技術分野】
【０００１】
本発明は通信分野に関し、より詳細には、ワイヤレス通信デバイス、およびワイヤレス通信デバイスの製造方法に関する。
【背景技術】
【０００２】
通信技術の発展に伴い、ますます、様々なワイヤレス通信デバイスが広く応用されている。ワイヤレス通信デバイスを測定するための重要な指標として、ワイヤレス性能、例えば全放射電力(Total Radiation Power、TRP)および全等方性感度(Total Isotropic Sensitivity、TIS)が使用される。ワイヤレス通信デバイスが様々な応用シナリオで優れたワイヤレス性能を発揮できることをどのように確実にするかが、現在の研究に対する大きな課題である。
【０００３】
インラインユニバーサルシリアルバス(Universal Serial Bus、USB)コネクタを有するワイヤレス通信デバイス中では、USBコネクタの金属シェルから延びる2つのピンが、ワイヤレス通信デバイスのプリント回路板(Printed Circuit Board、PCB)すなわちメインボードのグラウンド部分に直接に溶接され、それによりメインボードに接続される。ワイヤレス通信デバイスのPCBメインボードは、USBコネクタを介して、USBソケットを有する別の端末デバイス(例えばコンピュータおよび充電器)に接続され、電源投入後に動作し始める。
【０００４】
USBソケットを有する種々の端末デバイス上での、ワイヤレス通信デバイスのワイヤレス性能の差が大きいため、既存の解決法では、USBソケットを有する種々の端末デバイスにワイヤレス通信デバイスがアクセスする際に、ワイヤレス通信デバイスが優れたワイヤレス性能を有することを確実にすることができない。
【発明の概要】
【発明が解決しようとする課題】
【０００５】
本発明は、ワイヤレス通信デバイス、およびワイヤレス通信デバイスの製造方法を提供するものであり、このワイヤレス通信デバイスは、USBソケットを有する種々の端末デバイス上で優れたワイヤレス性能を有する。
【課題を解決するための手段】
【０００６】
一態様では、ワイヤレス通信デバイスが提供される。このワイヤレス通信デバイスは、アンテナと、アンテナに接続されたグラウンド部分を備えるメインボードと、グラウンド部分に接続された少なくとも1つのマッチング回路網と、シェルおよびシェルから延びる少なくとも1つの第1のピンを備えるUSBコネクタとを備え、少なくとも1つの第1のピンは、少なくとも1つのマッチング回路網に接続され、少なくとも1つの第1のピンは、少なくとも1つのマッチング回路網と1対1で対応する。
【０００７】
別の態様では、ワイヤレス通信デバイスの製造方法が提供される。この方法は、グラウンド部分を備えるメインボードを形成する段階と、グラウンド部分とアンテナとを接続する段階と、グラウンド部分とUSBコネクタのシェルから延びる少なくとも1つの第1のピンとの間に少なくとも1つのマッチング回路網を接続する段階とを含み、少なくとも1つのマッチング回路網は、少なくとも1つの第1のピンと1対1で対応する。
【発明の効果】
【０００８】
これらの技術的解決法では、ワイヤレス通信デバイスのUSBコネクタのピンと、メインボードのグラウンド部分との間に、マッチング回路網を接続することができ、このマッチング回路網は、ワイヤレス通信デバイスのメインボード上の、アンテナによって励起された表面電流の分配を制御して、ワイヤレス通信デバイスのアンテナ放射システムのワイヤレス性能を制御し、USBソケットを有する種々の端末デバイス間のワイヤレス性能の差を低減し、それにより、ワイヤレス通信デバイスが種々の端末デバイスにアクセスする際に優れたワイヤレス性能を有することを確実にするように構成される。
【０００９】
本発明の実施形態における技術的解決法をより明確に記述するために、以下、本発明の実施形態を記述するのに必要とされる添付図面について簡単に紹介する。明らかに、以下の記述における添付図面は、本発明のいくつかの実施形態を示すに過ぎず、当業者ならこれらの添付図面に従って創意工夫なしに他の図面もさらに得ることができる。
【図面の簡単な説明】
【００１０】
【図１】本発明の第1の実施形態によるワイヤレス通信デバイスの概略構造図である。
【図２Ａ】本発明の第2の実施形態によるワイヤレス通信デバイスの概略構造図である。
【図２Ｂ】本発明の第2の実施形態による、線A-A'に沿って観察されたワイヤレス通信デバイスの横断面図である。
【図３】本発明の第3の実施形態によるワイヤレス通信デバイスの概略構造図である。
【図４】本発明の第4の実施形態によるワイヤレス通信デバイスの概略構造図である。
【図５】本発明の第5の実施形態によるワイヤレス通信デバイスの概略構造図である。
【図６】本発明の第6の実施形態によるワイヤレス通信デバイスの概略構造図である。
【図７】本発明の第7の実施形態によるワイヤレス通信デバイスの概略構造図である。
【図８】本発明の第8の実施形態によるワイヤレス通信デバイスの概略構造図である。
【図９】本発明の第9の実施形態によるワイヤレス通信デバイスの概略構造図である。
【図１０】本発明の第10の実施形態によるワイヤレス通信デバイスの概略構造図である。
【図１１】本発明の第11の実施形態によるワイヤレス通信デバイスの概略構造図である。
【図１２】本発明の第12の実施形態によるワイヤレス通信デバイスの製造方法の概略フローチャートである。
【発明を実施するための形態】
【００１１】
以下、本発明の実施形態における添付図面を参照しながら、本発明の実施形態における技術的解決法について明確かつ完全に述べる。明らかに、述べる実施形態は、本発明の実施形態の全部ではなく一部に過ぎない。本発明の実施形態に基づいて創意工夫なしに当業者によって得られる他の全ての実施形態も、本発明の保護範囲に入るものとする。
【００１２】
ワイヤレス通信デバイスは、インラインUSBコネクタを有するワイヤレス通信デバイス、例えば、データカード、3Gワイヤレスネットワークカード(3G Dongleネットワークカードなど)、USBワイヤレスネットワークカード、およびMobile WiFiを含みうることを理解されたい。端末デバイスは、USBソケットを有するデバイス、例えば、コンピュータおよび充電器とすることができる。
【００１３】
インラインUSBコネクタを有するワイヤレス通信デバイス(または略してワイヤレスUSBデバイスともいう)のPCBすなわちメインボードは小さく、アンテナと、PCBすなわちメインボードのグラウンド部分と、USBコネクタを介して接続された端末デバイスのグラウンド部分とによって、アンテナ放射システム全体が形成されるものとすることができる。ワイヤレス通信デバイスがアクセスする端末デバイスのグラウンド部分の物理的サイズが異なるので、アンテナ放射システム全体のワイヤレス性能は一貫しなくなり、例えば、コンピュータに挿入されたときのワイヤレス通信デバイスのTRPは、充電器に挿入されたときのTRPよりもかなり高い。
【００１４】
本発明の実施形態によれば、種々のシナリオ(または種々のデバイス上)で使用されるときの、インラインUSBコネクタを有するワイヤレス通信デバイスのワイヤレス性能を向上させることができる。
【００１５】
図1は、本発明の第1の実施形態によるワイヤレス通信デバイス100の概略構造図である。
【００１６】
ワイヤレス通信デバイス100は、アンテナ110、メインボード120、少なくとも1つのマッチング回路網130、およびUSBコネクタ140を備える。
【００１７】
メインボード120はグラウンド部分を備え、グラウンド部分はアンテナ110に接続される。少なくとも1つのマッチング回路網130は、グラウンド部分に接続される。USBコネクタ140は、シェル142と、シェル142から延びる少なくとも1つの第1のピン141とを備え、少なくとも1つの第1のピン141は、少なくとも1つのマッチング回路網130に接続され、少なくとも1つの第1のピンは、少なくとも1つのマッチング回路網と1対1で対応する。
【００１８】
例えば、メインボード120はPCBとすることができ、PCBは、単層ボード、2層ボード、または多層ボードとすることができる。単層ボード、2層ボード、または多層ボードの各層は、誘電層と、誘電層上または誘電層中で被覆された導電性材料(例えばアルミニウム箔または銅箔)とによって形成することができる。グラウンド部分は、PCBの誘電層上に、またはPCBの誘電層中にプリントされてよく、例えば導電性材料(例えばアルミニウムまたは銅)からなる。グラウンド部分は、PCBの縁部に沿って形成されたグラウンド線とすることができ、PCB上で電子デバイスのグラウンドに接続するように構成される。図1におけるグラウンド部分は概略図に過ぎず、グラウンド部分は任意の形状を有してよく、グラウンド部分の幅もまた任意の値であってよいことを理解されたい。マッチング回路網130は、メインボード120のグラウンド部分とUSBコネクタ140のピン141との間に配置される。例えば、第1のピン141は、シェル142と一体化されてよい。すなわち、第1のピン141もまた金属材料からなり、マッチング回路網130に電気的に接続されてよい。少なくとも1つの第1のピン141は、少なくとも1つのマッチング回路網130と1対1で対応するようにして接続されてよく、少なくとも1つのマッチング回路網130の数は、少なくとも1つの第1のピン141の数と同じである。マッチング回路網130は、グラウンド部分に電気的に接続されてよい。本発明による電気的な接続の方法は、溶接とすることができ、また、ボルトとナットなどの締め付け具を介した電気的な接続とすることもできる。
【００１９】
この実施形態では、ワイヤレス通信デバイス100がUSBコネクタ140を介して端末デバイス(例えばコンピュータまたは充電器)のUSBソケットに接続されているとき、端末デバイスはグラウンド端部と等価であり、このようにして、アンテナ110、メインボード120のグラウンド部分、マッチング回路網130、USBコネクタ140、および端末デバイスは、ワイヤレス通信デバイス100のグラウンド回路を形成する。
【００２０】
マッチング回路網130は、ワイヤレス通信デバイス100のメインボード120上の、アンテナ放射システム(これは、アンテナ110と、メインボード120のグラウンド部分と、マッチング回路網130と、USBコネクタ140と、USBコネクタに接続された端末デバイスのグラウンド部分とによって形成されるアンテナ放射システムを指すことができる)によって励起された表面電流の分配を制御するように構成される。アンテナ放射システムによって励起された表面電流は、メインボード120、マッチング回路網130、およびUSBコネクタ140を介して、グラウンド端部としての働きをする端末デバイスに達する。マッチング回路網130が、アンテナ放射システムによって励起された表面電流の分配を制御することができるので、ワイヤレス通信デバイス100の設計において、マッチング回路網130のパラメータを調整することによってアンテナ放射システムの表面電流の分配を変更することができる。ワイヤレス性能は表面電流に関係するので、マッチング回路網130の設定により、ワイヤレス通信デバイスが種々の端末デバイスにアクセスするときのワイヤレス通信デバイスのワイヤレス性能を向上させることができる。
【００２１】
本発明の実施形態によれば、ワイヤレス通信デバイスのUSBコネクタのピンと、メインボードのグラウンド部分との間に、マッチング回路網を接続することができ、このマッチング回路網は、ワイヤレス通信デバイスのメインボード上の、アンテナによって励起された表面電流の分配を制御して、ワイヤレス通信デバイスのアンテナ放射システムのワイヤレス性能を制御し、USBソケットを有する種々の端末デバイス間のワイヤレス性能の差を低減し、それにより、ワイヤレス通信デバイスが種々の端末デバイスにアクセスする際に優れたワイヤレス性能を有することを確実にするように構成される。したがってユーザは、種々の端末デバイス上でワイヤレス通信を使用するときに、同様の体験を有することができる。
【００２２】
任意選択で、別の実施形態として、メインボード120はさらに、少なくとも1つの導電部分を備える。この少なくとも1つの導電部分は、グラウンド部分から独立しており、少なくとも1つの第1のピンを少なくとも1つのマッチング回路網に接続するように構成される。少なくとも1つの導電部分は、少なくとも1つのマッチング回路網と1対1で対応し、少なくとも1つの導電部分の数は、少なくとも1つのマッチング回路網の数に等しい。例えば、少なくとも1つの第1のピンは、少なくとも1つのマッチング回路網と1対1で対応するようにして接続され、第1の導電部分が、1つの第1のピンを第1のマッチング回路網に接続するように構成され、第2の導電部分が、別の第1のピンを第2のマッチング回路網に接続するように構成される。加えて、導電部分はさらに、第1のピンをメインボード上に固定するように構成される。
【００２３】
例えば、グラウンド部分と少なくとも1つの導電部分とは両方とも、メインボード120の誘電層の表面に固定されるか、または両方とも誘電層の内部に固定されてよい。または、グラウンド部分はメインボード120の誘電層の表面に固定され、少なくとも1つの導電部分は誘電層の内部に固定される。または、少なくとも1つの導電部分は誘電層の表面に固定され、グラウンド部分は誘電層の内部に固定される。グラウンド部分と少なくとも1つの導電部分との間には、所定の間隙があり、グラウンド部分と少なくとも1つの導電部分とは、少なくとも1つのマッチング回路網を介して電気的に接続される。言い換えれば、少なくとも1つの第1のマッチング回路網は、少なくとも1つの第1の導電部分と1対1で対応し、例えば、第1のマッチング回路網は、第1の導電部分とグラウンド部分との間に接続され、第2のマッチング回路網は、第2の導電部分とグラウンド部分との間に接続される。少なくとも1つの導電部分に面する、グラウンド部分の縁部は、様々な形状であってよく、例えば線形または弧形であってよい。少なくとも1つの導電部分に面する、グラウンド部分の縁部が弧形を有するように設計すると、先端放電の発生が回避される。本発明の実施形態によれば、メインボード120のグラウンド部分とメインボード120の導電部分との間に及ぶマッチング回路網中のマッチングデバイスの位相的形式およびモデルは、限定されない。
【００２４】
任意選択で、別の実施形態として、メインボード120はさらに導電部分を備える。この導電部分は、グラウンド部分から独立しており、少なくとも1つの第1のピンを少なくとも1つのマッチング回路網に接続するように構成される。
【００２５】
例えば、本発明の実施形態によれば、2つのマッチング回路網が、1つの導電部分を介して2つの第1のピンにそれぞれ接続されてもよい。
【００２６】
図10は、本発明の第10の実施形態によるワイヤレス通信デバイス1000の概略構造図である。図10における実施形態は、図1における実施形態の例である。図3における実施形態との違いは、図10におけるワイヤレス通信デバイス1000のUSBコネクタの2つのピンが、1つの導電部分を介してマッチング回路網に接続されることである。
【００２７】
図10におけるワイヤレス通信デバイス1000は、アンテナ1010、メインボード1020、マッチング回路網1030、およびUSBコネクタ1040を備えてよい。メインボード1020は、グラウンド部分1021、導電部分1023、誘電層(図示せず)を備えてよい。USBコネクタ1040は、金属シェル1042、ピン1041、およびピン1043を備える。
【００２８】
マッチング回路網1030の2つの端部(図10では、2つの部分すなわち1031および1032を含む)が、それぞれグラウンド部分1021および導電部分1023に直列に接続される。例えば、マッチング回路網1030は、導電部分1023の第1の縁部とグラウンド部分1021の第1の縁部との間に接続され、導電部分1023の第1の縁部とグラウンド部分1021の第1の縁部とは相互に隣接し、導電部分1023の第1の縁部とグラウンド部分1021の第1の縁部との間には、所定の間隔がある。
【００２９】
任意選択で、別の実施形態として、USBコネクタ140はさらに、シェルから延びる少なくとも1つの第2のピンを備え、この少なくとも1つの第2のピンは、グラウンド部分に直接に接続される。本発明の実施形態におけるUSBコネクタ140が少なくとも2つのピンを備えてよいことは、理解することができる。USBコネクタ140が3つ以上のピンを備えるとき、第2のピンの数は2つ以上とすることができる。
【００３０】
例えば、第2のピンは、金属材料からなるシェルと一体化されてよい。すなわち、第2のピンもまた金属材料からなり、グラウンド部分に電気的に接続されてよい。本発明による電気的な接続の方法は、溶接とすることができ、また、ボルトとナットなどの締め付け具を介した電気的な接続とすることもできる。
【００３１】
本発明の実施形態によれば、マッチング回路網は、物理的な接続方法または電気的な接続方法を採用することによって、グラウンド部分および第1のピンに接続される。
【００３２】
例えば、グラウンド部分と第1のピンとの間の物理的な接続は、集中定数素子マッチング回路網(lumped-element matching network)によって実現することができ、または、グラウンド部分と第1のピンとの間の電気的な接続は、分布マッチング回路網(distributed matching network)によって実現することができる。
【００３３】
本発明の実施形態によれば、シェルは、金属シェルとすることができる。
【００３４】
任意選択で、別の実施形態として、シェルは、第1のピンと外部デバイスとを電気的に接続するように構成された導電部分を備えてよく、シェルはさらに、第2のピンと外部デバイスとを電気的に接続するように構成された導電部分を備えてよい。例えば、シェルは、プラスチック製とすることができ、第1のピンおよび/または第2のピンと外部デバイスとを電気的に接続するように構成されたワイヤを備える。
【００３５】
本発明の実施形態によれば、少なくとも1つの第2のピンは、1つの第2のピンを含んでよい。
【００３６】
本発明の実施形態によれば、少なくとも1つの第1のピンは、1つの第1のピンを含んでよく、少なくとも1つの導電部分は、1つの導電部分を含んでよく、少なくとも1つのマッチング回路網は、1つのマッチング回路網を含んでよい。
【００３７】
例えば、USBコネクタが2つのピンのみを有するとき、一方のピンが、マッチング回路網を介してグラウンド部分に接続されてよい。
【００３８】
本発明の実施形態によれば、グラウンド部分に隣接する、導電部分の縁部と、導電部分に隣接する、グラウンド部分の縁部とは、矩形または弧形とすることができる。
【００３９】
例えば、グラウンド部分の、USBコネクタのピンの周りに位置する部分は、矩形ノッチまたは弧形ノッチとなるように設計することができ、導電部分がノッチ中に位置するようにされる。したがって、グラウンド部分に隣接する、導電部分の縁部と、導電部分に隣接する、グラウンド部分の縁部とは、矩形または弧形を有する。別の例として、グラウンド部分の、USBコネクタのピンの周りに位置する部分上に、円形または矩形の開口を配置することができ、導電部分は円形または矩形の開口中に位置してよい。この場合、ピンは、グラウンド部分に及んで、グラウンド部分の開口中で導電部分に接続されてよく、または、ピンは、グラウンド部分に及んで、接続線を介してグラウンド部分の開口中で導電部分に接続されてよい。
【００４０】
図11は、本発明の第11の実施形態によるワイヤレス通信デバイス1100の概略構造図である。図11における実施形態は、図1における実施形態の例である。図5における実施形態との違いは、図11におけるワイヤレス通信デバイス1100の導電部分が、USBコネクタの周りの、グラウンド部分の開口中に位置することである。
【００４１】
図11におけるワイヤレス通信デバイス1100は、アンテナ1110、メインボード1120、マッチング回路網1130、およびUSBコネクタ1140を備えてよい。メインボード1120は、グラウンド部分1121、導電部分1123、および誘電層(図示せず)を備えてよい。USBコネクタ1140は、金属シェル1142、ピン1141、およびピン1143を備える。
【００４２】
導電部分1123は、グラウンド部分の開口中に位置し、導電部分1123の各縁部と、グラウンド部分1121の開口の各縁部との間には、所定の間隔がある。マッチング回路網1130の2つの端部が、それぞれグラウンド部分1121および導電部分1123に直列に接続される。例えば、マッチング回路網1130は、導電部分1123の第1の縁部とグラウンド部分1121の開口の第1の縁部との間に接続される。言い換えれば、ピン1141は、グラウンド部分1121に及んで、グラウンド部分1121の開口中で導電部分1123に物理的に接続されてよく、または、ピンは、グラウンド部分1121に及んで、接続線(図示せず)を介してグラウンド部分1121の開口中で導電部分1123に物理的に接続されてよい。ピン1143は、グラウンド部分1121に物理的に直接接続される。
【００４３】
本発明の実施形態によれば、マッチング回路網は、集中定数素子マッチング回路網、または分布マッチング回路網を含む。
【００４４】
例えば、集中定数素子マッチング回路網は、抵抗、キャパシタ、もしくはインダクタ、または、抵抗とキャパシタとインダクタとのうちの少なくとも2つの組合せ、とすることができる。分布マッチング回路網は、直流切断方式(direct current disconnection manner)を採用することによって実現することができ、例えば、分布マッチング回路網は、導電部分とグラウンド部分との間の間隙によって形成される分布キャパシタ(distributed capacitor)とすることができる。
【００４５】
任意選択で、別の実施形態として、少なくとも1つのマッチング回路網は、少なくとも1つの集中定数素子マッチング回路網、および/または、少なくとも1つの分布マッチング回路網を含んでよい。
【００４６】
例えば、1つのUSBコネクタが2つの第1のピンを有するとき、一方の第1のピンは、1つの集中定数素子マッチング回路網に接続され、他方の第1のピンは、分布マッチング回路網に接続される。
【００４７】
本発明の実施形態によれば、少なくとも1つの導電部分は、少なくとも1つの第1のピンとメインボードとが重なる場所に位置し、導電部分の面積は、第1のピンとメインボードとが重なる面積よりも大きく、導電部分はグラウンド部分に隣接し、マッチング回路網は、相互から分離した少なくとも2つの部分を備えてよく、少なくとも2つの部分の各部分の一方の端部は、導電部分の一方の端部に接続され、他方の端部は、グラウンド部分に接続される。
【００４８】
任意選択で、導電部分が第1のピンへの固定および電気的な接続の機能を実施できる限り、導電部分の面積は、第1のピンとメインボードとが重なる面積よりも小さくてもよい。
【００４９】
本発明の実施形態によれば、少なくとも1つの集中定数素子マッチング回路網のうちの各集中定数素子マッチング回路網は、抵抗とキャパシタとインダクタとのうちの少なくとも1つによって形成されるマッチング回路を含む。
【００５０】
本発明の実施形態によれば、分布マッチング回路網はキャパシタを含み、キャパシタは、導電部分、グラウンド部分、および、導電部分とグラウンド部分との間の間隙によって形成される。
【００５１】
例えば、第1の間隙が第1の導電部分とグラウンド部分との間に形成され、グラウンド部分に面する、第1の導電部分の縁部と、第1の導電部分に面する、グラウンド部分の縁部と、第1の間隙とが、分布キャパシタを形成し、この分布キャパシタは、第1の分布マッチング回路網としての働きをする。第2の間隙が第2の導電部分とグラウンド部分との間に形成され、グラウンド部分に面する、第2の導電部分の縁部と、第2の導電部分に面する、グラウンド部分の縁部と、第2の間隙とが、分布キャパシタを形成し、この分布キャパシタは、第2の分布マッチング回路網としての働きをする。
【００５２】
本発明の実施形態によれば、アンテナは、USBコネクタから離れた、メインボードの他方の端部に位置するか、または、アンテナは、メインボード上に位置する。
【００５３】
例えば、アンテナは、必要に応じて適した場所に位置してよく、例えば、アンテナは、USBコネクタの反対側の、ワイヤレス通信デバイスの尾部に位置してよいが、これは本発明の実施形態により限定されない。例えば、アンテナはまた、グラウンド部分が位置する面の反対側の、メインボードの他方の面に位置してもよい。
【００５４】
本発明の実施形態によれば、アンテナを含むアンテナ放射システムのワイヤレス性能を測定することによって、少なくとも1つのマッチング回路網のパラメータが決定される。
【００５５】
例えば、ワイヤレス通信デバイス100を設計する際、少なくとも1つのマッチング回路網のパラメータを、ワイヤレス通信デバイス100が種々の端末デバイスに挿入されたときに測定されたTRPおよび/またはTISに従って調整することができ、したがって、ワイヤレス通信デバイスは、USBソケットを有する種々の端末デバイスにアクセスするときに優れたワイヤレス性能を有することができる。
【００５６】
以下、TRPを例として、マッチング回路網のパラメータを調整する具体的なプロセスについて述べる。具体的には、テストのために、物理的サイズが大きく異なる2つの端末デバイス(例えばコンピュータおよび充電器)にワイヤレス通信デバイス100を挿入することができる。ワイヤレス通信デバイス100のマッチング回路網の種々のパラメータについてTRPの値が測定され、ワイヤレス通信デバイスが2つの端末デバイスに挿入されているとき、測定結果に従って、2つのTRP間の差がより小さいときのマッチング回路網のパラメータが、マッチング回路網の最終的なパラメータとして選択される。別の実験条件が同じである場合に、マッチング回路網がキャパシタである場合を例に取ると、キャパシタが0.5pFであるとき、前述の差は2.18dBmであり、キャパシタが1.8pFであるとき、前述の差は1.58dBmである。したがって、TRP間の差がより小さいときの1.8pFのキャパシタを、マッチング回路網として選択することができる。TISに従ってマッチング回路網のパラメータを調整するプロセスも、TRPに従ってマッチング回路網のパラメータを調整するプロセスと同様であり、ここでは繰り返し述べないことに留意されたい。
【００５７】
任意選択で、少なくとも1つのマッチング回路網のパラメータは、調整可能であるように設計することができ、したがってユーザは、ワイヤレス通信デバイスを使用するプロセスにおいて、少なくとも1つのマッチング回路網(例えば抵抗および/またはキャパシタ)のパラメータを必要に応じて調整することができる。例えば、ユーザは、抵抗の抵抗、および/またはキャパシタのキャパシタンスを調整することができ、したがって、ワイヤレス通信デバイスは、USBソケットを有する種々の端末デバイスにアクセスするときに優れたワイヤレス性能を有することができる。
【００５８】
図2Aは、本発明の第2の実施形態によるワイヤレス通信デバイス200の概略構造図である。図2Bは、本発明の第2の実施形態による、線A-A'に沿って観察されたワイヤレス通信デバイス200の横断面図である。図2Aおよび図2Bにおける実施形態は、図1における実施形態の例である。
【００５９】
ワイヤレス通信デバイス200は、アンテナ210、メインボード220、マッチング回路網230、およびUSBコネクタ240を備えてよい。
【００６０】
メインボード220は、グラウンド部分221、誘電層222、および導電部分223を備えてよい。グラウンド部分221および導電部分223は、誘電層222上に固定される。導電部分223は、グラウンド部分221に隣接する。例えば、導電部分223は、グラウンド部分221の縁部に形成されたノッチ中に位置してよく、導電部分223の少なくとも1つの縁部(例えば2つの縁部)は、グラウンド部分221に隣接する。導電部分223の少なくとも1つの縁部とグラウンド部分221との間には、所定の間隔があり、この間隔は、空隙であってよく、また、非導電性媒体で満たされてよく、例えば誘電層222の材料と同じ材料で満たされてよい。所定の間隔の距離は、所定の間隔が直流を切断する機能を実施することができる限り、本発明の実施形態により限定されない。グラウンド部分221のノッチは矩形であり、それに対応して導電部分223もまた矩形である。
【００６１】
マッチング回路網230の2つの端部が、グラウンド部分221および導電部分223にそれぞれ接続される。マッチング回路網230は、第1の部分231および第2の部分232を含んでよく、第1の部分231は、導電部分223の第1の縁部と、グラウンド部分221のノッチの第1の縁部との間に接続され、第2の部分232は、導電部分223の第2の縁部と、グラウンド部分221のノッチの第2の端部との間に接続される。マッチング回路網230は、集中定数素子マッチング回路網とすることができる。例えば、マッチング回路網230は、抵抗とキャパシタとインダクタとのうちの少なくとも1つによって形成されるマッチング回路とすることができる。
【００６２】
USBコネクタ240は、金属シェル242と、金属シェル242から延びるピン241およびピン243とを備えてよい。ピン241は、導電部分223に固定(例えば溶接)される。導電部分223の面積は、ピン241の面積よりも大きいが、これは本発明の実施形態により限定されず、導電部分223の面積はまた、ピン241の面積以下であってもよい。ピン243は、グラウンド部分221に直接に固定(例えば溶接)されてよい。
【００６３】
アンテナ210は、グラウンド部分221の、USBコネクタ240から離れた側に接続される。
【００６４】
この実施形態では、ワイヤレス通信デバイス200がUSBコネクタ240を介して端末デバイス(例えばコンピュータまたは充電器)に接続されているとき、端末デバイスはグラウンド端部と等価であり、したがって、アンテナ210、メインボードのグラウンド部分221、マッチング回路網230、およびメインボードの分離された導電部分223、USBコネクタ240、および端末デバイスは、ワイヤレス通信デバイスのグラウンド回路を形成する。このようにして、アンテナ放射システムによって励起された表面電流は、メインボードのグラウンド部分を介して、グラウンド端部としての働きをする端末デバイスに達する。メインボードのグラウンド部分と、分離された導電部分との間に接続されたマッチング回路網は、メインボード上の、アンテナ放射システムによって励起された表面電流の分配を制御し、それによりワイヤレス放射システムのワイヤレス性能を制御することができ、したがって、ワイヤレス通信デバイスは、USBソケットを有する種々の端末デバイスにアクセスする際に優れたワイヤレス性能を有する。
【００６５】
図3は、本発明の第3の実施形態によるワイヤレス通信デバイス300の概略構造図である。図3における実施形態は、図1における実施形態の例である。図2における例との違いは、図3における例では、USBコネクタの2つのピンが、それぞれ2つの導電部分を介して2つのマッチング回路網に接続されることであり、したがって、ここでは詳細な記述は適宜省略する。
【００６６】
ワイヤレス通信デバイス300は、アンテナ310、メインボード320、第1のマッチング回路網330、第2のマッチング回路網360、およびUSBコネクタ340を備えてよい。
【００６７】
メインボード320は、グラウンド部分321、誘電層(図示せず)、第1の導電部分323、および第2の導電部分324を備えてよい。グラウンド部分321、第1の導電部分323、および第2の導電部分324は全て、誘電層上に固定される。第1の導電部分323および第2の導電部分324は、グラウンド部分321に隣接する。例えば、第1の導電部分323および第2の導電部分324は、それぞれ、グラウンド部分321の縁部に形成された2つのノッチ中に位置してよく、第1の導電部分323の少なくとも1つの縁部(例えば2つの縁部)は、グラウンド部分321に隣接し、第1の導電部分323の少なくとも1つの縁部とグラウンド部分321との間には、所定の間隔がある。同様に、第2の導電部分324の少なくとも1つの縁部(例えば2つの縁部)は、グラウンド部分321に隣接し、第2の導電部分324の少なくとも1つの縁部とグラウンド部分321との間には、間隔がある。
【００６８】
第1のマッチング回路網330の2つの端部が、それぞれグラウンド部分321および第1の導電部分323に接続され、第2のマッチング回路網360の2つの端部が、それぞれグラウンド部分321および第2の導電部分324に接続される。第1のマッチング回路網330は、第1の部分331および第2の部分332を備える。第2のマッチング回路網360は、第1の部分361および第2の部分362を備える。第1の部分331は、第1の導電部分323の第1の縁部と、グラウンド部分321の第1のノッチの第1の縁部との間に接続され、第2の部分332は、第1の導電部分323の第2の縁部と、グラウンド部分321の第1のノッチの第2の縁部との間に接続される。同様に、第1の部分361は、第2の導電部分324の第1の縁部と、グラウンド部分321の第2のノッチの第1の縁部との間に接続され、第2の部分362は、第2の導電部分324の第2の縁部と、グラウンド部分321の第2のノッチの第2の縁部との間に接続される。第1のマッチング回路網330および第2のマッチング回路網360は、集中定数素子マッチング回路網とすることができる。例えば、マッチング回路網は、抵抗とキャパシタとインダクタとのうちの少なくとも1つによって形成されるマッチング回路とすることができる。
【００６９】
USBコネクタ340は、金属シェル342と、金属シェル342から延びるピン341およびピン343とを備えてよい。ピン341は、第1の導電部分323に固定され、導電部分323の面積は、ピン341の面積よりも大きい。ピン343は、第2の導電部分324に固定され、導電部分324の面積は、ピン343の面積よりも大きい。ピン341およびピン343は、グラウンド部分321に直接に固定(例えば溶接)されてよい。
【００７０】
アンテナ310は、グラウンド部分321の、USBコネクタ340から離れた側に接続される。
【００７１】
この実施形態では、ワイヤレス通信デバイス300がUSBコネクタ340を介して端末デバイス(例えばコンピュータまたは充電器)に接続されているとき、端末デバイスはグラウンド端部と等価であり、したがって、アンテナ310、メインボードのグラウンド部分321、第1のマッチング回路網330、第2のマッチング回路網360、メインボードの第1の導電部分323、第2の導電部分324、USBコネクタ340、および端末デバイスは、ワイヤレス通信デバイスのグラウンド回路を形成する。このようにして、アンテナ放射システムによって励起された表面電流は、メインボードのグラウンド部分を介して、グラウンド端部としての働きをする端末デバイスに達する。
【００７２】
図4は、本発明の第4の実施形態によるワイヤレス通信デバイス400の概略構造図である。図4における実施形態は、図1における実施形態の例である。図2における例との違いは、図4における例のマッチング回路網430が分布キャパシタによって実現されることであり、したがって、ここでは詳細な記述は適宜省略する。
【００７３】
ワイヤレス通信デバイス400は、アンテナ410、メインボード420、マッチング回路網430、およびUSBコネクタ440を備えてよい。メインボード420は、グラウンド部分421、導電部分423、および誘電層(図示せず)を備えてよい。USBコネクタ440は、金属シェル442、ピン441、およびピン443を備える。
【００７４】
導電部分423とグラウンド部分421との間には、間隙がある。すなわち、直流切断形式が採用される。言い換えれば、マッチング回路網430は、導電部分423とグラウンド部分421との間の間隙によって形作られる分布キャパシタによって形成される。
【００７５】
図5は、本発明の第5の実施形態によるワイヤレス通信デバイス500の概略構造図である。図5における実施形態は、図1における実施形態の例である。図2における例との違いは、図5における例の導電部分が3つの縁部を介してグラウンド部分に隣接することであり、したがって、ここでは詳細な記述は適宜省略する。
【００７６】
ワイヤレス通信デバイス500は、アンテナ510、メインボード520、マッチング回路網530、およびUSBコネクタ540を備えてよい。メインボード520は、グラウンド部分521、導電部分523、および誘電層(図示せず)を備えてよい。USBコネクタ540は、金属シェル542、ピン541、およびピン543を備える。
【００７７】
マッチング回路網530の2つの端部が、それぞれグラウンド部分521および導電部分523に接続される。マッチング回路網530は、第1の部分531、第2の部分532、および第3の部分533を備えてよく、第1の部分531は、導電部分523の第1の縁部と、グラウンド部分521のノッチの第1の縁部との間に接続され、第2の部分532は、導電部分523の第2の縁部と、グラウンド部分521のノッチの第2の縁部との間に接続され、第3の部分533は、導電部分523の第3の縁部と、グラウンド部分521のノッチの第3の縁部との間に接続される。
【００７８】
図6は、本発明の第6の実施形態によるワイヤレス通信デバイス600の概略構造図である。
【００７９】
図6における実施形態は、図1における実施形態の例である。図5における例との違いは、図6における例のグラウンド部分のノッチが半楕円形であり、それに対応して導電部分もまた半楕円形であることであり、したがって、ここでは詳細な記述は適宜省略する。
【００８０】
ワイヤレス通信デバイス600は、アンテナ610、メインボード620、マッチング回路網630、およびUSBコネクタ640を備えてよい。メインボード620は、グラウンド部分621、導電部分623、および誘電層(図示せず)を備えてよい。USBコネクタ640は、金属シェル642、ピン641、およびピン643を備える。
【００８１】
マッチング回路網630の2つの端部が、それぞれグラウンド部分621および導電部分623に接続される。マッチング回路網630は、第1の部分631、第2の部分632、および第3の部分633を備えてよく、第1の部分631、第2の部分632、および第3の部分633は、所定の間隔で、グラウンド部分621のノッチの楕円形の縁部と、導電部分623の楕円形の縁部との間に接続される。この実施形態のマッチング回路網630は3つの部分に分割することができるが、これは本発明の実施形態により限定されず、例えば、マッチング回路網630は1つの部分、または2つの部分、またはより多くの部分を備えてもよい。
【００８２】
図7は、本発明の第7の実施形態によるワイヤレス通信デバイス700の概略構造図である。
【００８３】
図7における実施形態は、図1における実施形態の例である。図2における例との違いは、図7における例の導電部分が扇形であり、導電部分の弧形の縁部がグラウンド部分に隣接することであり、したがって、ここでは詳細な記述は適宜省略する。
【００８４】
ワイヤレス通信デバイス700は、アンテナ710、メインボード720、マッチング回路網730、およびUSBコネクタ740を備えてよい。メインボード720は、グラウンド部分721、導電部分723、および誘電層(図示せず)を備えてよい。USBコネクタ740は、金属シェル742、ピン741、およびピン743を備える。
【００８５】
マッチング回路網730は、グラウンド部分721と導電部分723との間に接続されてよく、導電部分723に隣接する、グラウンド部分721の縁部は、弧形であり、グラウンド部分721に隣接する、導電部分723の縁部は、弧形であり、例えば、導電部分は扇形である。これに対応して、グラウンド部分のノッチの縁部もまた弧形である。マッチング回路網730は、少なくとも1つの部分を備えてよく、マッチング回路網730の各部分は、ある間隔で配置されてよい。
【００８６】
図8は、本発明の第8の実施形態によるワイヤレス通信デバイス800の概略構造図である。図8における実施形態は、図1における実施形態の例である。図7における例との違いは、図8における例のマッチング回路網が分布キャパシタによって実現されることであり、したがって、ここでは詳細な記述は適宜省略する。
【００８７】
ワイヤレス通信デバイス800は、アンテナ810、メインボード820、マッチング回路網830、およびUSBコネクタ840を備えてよい。メインボード820は、グラウンド部分821、導電部分823、および誘電層(図示せず)を備えてよい。USBコネクタ840は、金属シェル842、ピン841、およびピン843を備える。
【００８８】
導電部分823とグラウンド部分821との間には間隙があり、直流切断形式が採用される。言い換えれば、マッチング回路網830は、導電部分823とグラウンド部分821との間の間隙によって形成される分布キャパシタである。
【００８９】
図9は、本発明の第9の実施形態によるワイヤレス通信デバイス900の概略構造図である。図9における実施形態は、図1における実施形態の例である。図5における例との違いは、図9における例のマッチング回路網がキャパシタ930によって実現されることであり、したがって、ここでは詳細な記述は適宜省略する。
【００９０】
ワイヤレス通信デバイス900は、アンテナ910、メインボード920、マッチング回路網930、およびUSBコネクタ940を備えてよい。メインボード920は、グラウンド部分921、導電部分923、および誘電層(図示せず)を備えてよい。USBコネクタ940は、金属シェル942、ピン941、およびピン943を備える。
【００９１】
キャパシタ930の2つの端部が、それぞれグラウンド部分921および導電部分923に直列に接続される。例えば、キャパシタ930は、導電部分923の第1の縁部と、グラウンド部分921のノッチの第1の縁部との間に接続され、導電部分923の第1の縁部は、グラウンド部分921のノッチの第1の縁部に隣接し、導電部分923の第1の縁部と、グラウンド部分921のノッチの第1の縁部との間には、所定の間隙がある。
【００９２】
本発明の実施形態の技術的効果についてさらに述べるために、図9における実施形態を例として、TRPテストを実施する。具体的には、ワイヤレス通信デバイス900をコンピュータおよび充電器のUSBソケットに挿入して、ワイヤレス通信デバイス900に対するTRPテストを実施する。テスト周波数帯域は、CDMAセルラー周波数帯域であり、テスト周波数は、824.70MHz、836.52MHz、および848.31MHzとして選択され、キャパシタ930のキャパシタンスは、0.5pF、1.2pF、1.5pF、および1.8pFとして選択される。テスト結果により、キャパシタ930のキャパシタンスが大きいほど、ワイヤレス通信デバイス900がコンピュータに接続されているときのTRPと、ワイヤレス通信デバイス900が充電器に接続されているときのTRPとの間の差は小さいことが示される。キャパシタンスが1.8pFよりも大きいときは、キャパシタンスの増加に伴い、ワイヤレス通信デバイス900がコンピュータに接続されているときのTRPと、ワイヤレス通信デバイス900が充電器に接続されているときのTRPとの間の差の変化は、有意でない。したがって、キャパシタ930の選択中に、キャパシタンスは、0.5〜1.8pFの範囲にあること、特に1.8pFであることが好ましいが、当然ながら、本発明の実施形態におけるキャパシタの値は、これに限定されない。また、キャパシタンスは、1.8pFよりも大きいかまたは0.5pFよりも小さくてもよい。加えて、USBコネクタの2つのピンがメインボードのグラウンド部分に直接に接続される解決法と比較して、ワイヤレス通信デバイス900が充電器に接続されているときはアンテナ放射システムのTRPが向上する。例えば、同じ実験条件下で、従来のワイヤレス通信デバイスのアンテナ放射システムの測定TRPは、15.1dBmであり、本発明の実施形態によるワイヤレス通信デバイス(そのマッチング回路網は1.8pFのキャパシタである)のアンテナ放射システムの測定TRPは、16.57dBmである。ワイヤレス通信デバイス900がコンピュータに接続されているときは、アンテナ放射システムのTRPは大きく変わらず(例えば、従来のワイヤレス通信デバイスおよびワイヤレス通信デバイス900がコンピュータに接続されているとき、従来のワイヤレス通信デバイスのアンテナ放射システムの測定TRPおよび本発明の実施形態によるTRPは、約18.15dBmである)、したがって、ワイヤレス通信デバイス900がこれら2つのデバイスに挿入されたとき、アンテナ放射システムのTRPはより近い。例えば、従来のワイヤレス通信デバイスがコンピュータおよび充電器に挿入されたときは、2つのTRP間の差は3.15dBmであり、ワイヤレス通信デバイス900がコンピュータおよび充電器に挿入されたときは、2つのTRP間の差は1.58dBmであり、したがって、従来のワイヤレス通信デバイスのアンテナ放射システムの2つのTRP間の差と比較して、2つのTRP間の差はより小さい。
【００９３】
図12は、本発明の第12の実施形態によるワイヤレス通信デバイスの製造方法の概略フローチャートである。
【００９４】
ステップ1210:グラウンド部分を備えるメインボードを形成する。
【００９５】
ステップ1220:グラウンド部分をアンテナに接続する。
【００９６】
ステップ1230:グラウンド部分と、USBコネクタのシェルから延びる少なくとも1つの第1のピンとの間に、少なくとも1つのマッチング回路網を接続する。少なくとも1つのマッチング回路網は、少なくとも1つの第1のピンと1対1で対応する。
【００９７】
ステップ1210では、グラウンド部分と、グラウンド部分から独立した少なくとも1つの導電部分とを備える、メインボードを形成することができる。
【００９８】
ステップ1230では、少なくとも1つの第1のピンは、少なくとも1つの導電部分に固定され、少なくとも1つの第1のピンは、少なくとも1つの導電部分と1対1で対応する。少なくとも1つのマッチング回路網は、少なくとも1つの導電部分とグラウンド部分との間に接続され、少なくとも1つのマッチング回路網は、少なくとも1つの導電部分と1対1で対応する。
【００９９】
本発明の実施形態によれば、ワイヤレス通信デバイスのUSBコネクタのピンと、メインボードのグラウンド部分との間に、マッチング回路網を接続することができ、このマッチング回路網は、ワイヤレス通信デバイスのメインボード上の、アンテナ放射システムによって励起された表面電流の分配を制御して、ワイヤレス通信デバイスのアンテナ放射システムのワイヤレス性能を制御し、USBソケットを有する種々の端末デバイス間のワイヤレス性能の差を低減し、それにより、ワイヤレス通信デバイスが種々の端末デバイスにアクセスする際に優れたワイヤレス性能を有することを確実にするように構成される。したがってユーザは、種々の端末デバイス上でワイヤレス通信を使用するときに、同様の体験を有することができる。
【０１００】
任意選択で、別の実施形態として、図12における方法はさらに、シェルから延びる少なくとも1つの第2のピンをグラウンド部分に接続することを含む。
【０１０１】
本発明の実施形態によれば、少なくとも1つのマッチング回路網は、少なくとも1つの集中定数素子マッチング回路網、または少なくとも1つの分布マッチング回路網、または、少なくとも1つの集中定数素子マッチング回路網と分布マッチング回路網との組合せを含んでよい。
【０１０２】
本発明の実施形態によれば、アンテナを含むアンテナ放射システムのワイヤレス性能を測定することによって、少なくとも1つのマッチング回路網のパラメータを決定することができる。
【０１０３】
本発明の実施形態によるUSBコネクタの金属シェルの2つのピンのうちの一方は、PCBメインボードに直接に接続されず、PCBメインボードに直接に接続されない方のピンは、USBコネクタの金属シェルの2つのピンのうちの任意の一方とすることができる。USBコネクタのピンに接続されたメインボードの分離された導電部分と、メインボードのグラウンド部分とは、接続されなくてもよく、または、分離された導電部分とメインボードのグラウンド部分との間に及ぶマッチングデバイスを使用して接続されてもよい。本発明の実施形態によれば、メインボード上の分離された導電部分およびマッチングデバイスを介して(または直流切断形式で)インラインUSBコネクタのピンをメインボードPCB上のグラウンド部分に接続するグラウンド方式を採用することにより、ワイヤレス通信デバイスのワイヤレス性能が向上する。
【０１０４】
本明細書に開示する実施形態との組合せで述べた例のユニットおよびアルゴリズムステップを、電子ハードウェアによって、またはコンピュータソフトウェアと電子ハードウェアとの組合せによって実現することができることは、当業者なら認識するであろう。これらの機能がハードウェアによって実施されるかソフトウェアによって実施されるかは、技術的解決法の特定の応用例および設計制約条件に依存する。当業者なら、種々の方法を使用して、述べた機能を特定の応用例ごとに実現することができるが、この実現は本発明の範囲を超えると見なされるべきではない。
【０１０５】
当業者にははっきりと理解されるであろうが、記述を簡便かつ簡潔にするために、前述のシステム、装置、およびユニットの具体的な動作プロセスについては、前述の方法実施形態における対応するプロセスを参照することができ、ここで詳細を繰り返し述べることはしない。
【０１０６】
本出願で提供するいくつかの実施形態では、開示するシステム、装置、および方法を他の方法で実現することもできることを理解されたい。例えば、以上に述べた装置実施形態は、例に過ぎない。例えば、ユニットの分割は、論理的な機能分割の一種に過ぎず、実際の実装形態では他の分割方式もありうる。例えば、複数のユニットまたはコンポーネントを別のシステムと組み合わせるか、もしくは別のシステムに統合してもよく、または、いくつかの特徴を無視するか、もしくは実施しないこととしてもよい。加えて、図示または考察した、相互結合、または直接的な結合もしくは通信接続は、いくつかのインタフェースを介して実現することができ、装置またはユニット間の間接的な結合または通信接続は、電気的、機械的、または他の形とすることができる。
【０１０７】
別々の部分として記述されるユニットは、物理的に別々であってもそうでなくてもよく、ユニットとして表示される部分は、物理的なユニットであってもそうでなくてもよく、1つの位置にあっても、また複数のネットワークユニット上に分散されてもよい。ユニットの一部または全部を、実際の必要性に従って選択して、実施形態の解決法の目的を達成することができる。
【０１０８】
加えて、本発明の実施形態における機能ユニットが処理ユニットに統合されてもよく、また、各ユニットが物理的に単独で存在してもよく、また、2つまたは3つ以上のユニットが1つのユニットに統合されてもよい。
【０１０９】
機能が、ソフトウェア機能ユニットの形で実現されて、独立した製品として販売または使用されるとき、これらの機能は、コンピュータ可読記憶媒体に記憶することができる。このような理解に基づき、本発明の技術的解決法は本質的に、または従来技術に寄与する部分は、または技術的解決法の一部は、ソフトウェアの形で実現することができる。コンピュータソフトウェア製品は、記憶媒体に記憶され、本発明の実施形態で述べた方法のステップの全部または一部を実施するようコンピュータデバイス(パーソナルコンピュータ、サーバ、またはネットワークデバイスなどとすることができる)に命令するためのいくつかの命令を含む。記憶媒体は、Uディスク、取外し可能ハードディスク、読取専用メモリ(ROM、Read-Only Memory)、ランダムアクセスメモリ(RAM、Random Access Memory)、磁気ディスク、または光ディスクなど、プログラムコードを記憶できる任意の媒体を含む。
【０１１０】
以上の記述は、本発明の特定の実施形態に過ぎず、本発明の保護範囲を限定する意図はない。本発明に開示される技術的範囲内で当業者によってすぐにわかるどんな変形または置換も、本発明の保護範囲に入るものとする。したがって、本発明の保護範囲は、請求項の保護範囲に従うものとする。
【符号の説明】
【０１１１】
100  ワイヤレス通信デバイス
110  アンテナ
120  メインボード
130  マッチング回路網
140  USBコネクタ
141  第1のピン
142  シェル
200  ワイヤレス通信デバイス
210  アンテナ
220  メインボード
221  グラウンド部分
222  誘電層
223  導電部分
230  マッチング回路網
231  マッチング回路網の第1の部分
232  マッチング回路網の第2の部分
240  USBコネクタ
241  ピン
242  金属シェル
243  ピン
300  ワイヤレス通信デバイス
310  アンテナ
320  メインボード
321  グラウンド部分
323  第1の導電部分
324  第2の導電部分
330  第1のマッチング回路網
331  第1のマッチング回路網の第1の部分
332  第1のマッチング回路網の第2の部分
340  USBコネクタ
341  ピン
342  金属シェル
343  ピン
360  第2のマッチング回路網
361  第2のマッチング回路網の第1の部分
362  第2のマッチング回路網の第2の部分
400  ワイヤレス通信デバイス
410  アンテナ
420  メインボード
421  グラウンド部分
423  導電部分
430  マッチング回路網
440  USBコネクタ
441  ピン
442  金属シェル
443  ピン
500  ワイヤレス通信デバイス
510  アンテナ
520  メインボード
521  グラウンド部分
523  導電部分
530  マッチング回路網
531  マッチング回路網の第1の部分
532  マッチング回路網の第2の部分
533  マッチング回路網の第3の部分
540  USBコネクタ
541  ピン
542  金属シェル
543  ピン
600  ワイヤレス通信デバイス
610  アンテナ
620  メインボード
621  グラウンド部分
623  導電部分
630  マッチング回路網
631  マッチング回路網の第1の部分
632  マッチング回路網の第2の部分
633  マッチング回路網の第3の部分
640  USBコネクタ
641  ピン
642  金属シェル
643  ピン
700  ワイヤレス通信デバイス
710  アンテナ
720  メインボード
721  グラウンド部分
723  導電部分
730  マッチング回路網
740  USBコネクタ
741  ピン
742  金属シェル
743  ピン
800  ワイヤレス通信デバイス
810  アンテナ
820  メインボード
821  グラウンド部分
823  導電部分
830  マッチング回路網
840  USBコネクタ
841  ピン
842  金属シェル
843  ピン
900  ワイヤレス通信デバイス
910  アンテナ
920  メインボード
921  グラウンド部分
923  導電部分
930  マッチング回路網、キャパシタ
940  USBコネクタ
941  ピン
942  金属シェル
943  ピン
1000  ワイヤレス通信デバイス
1010  アンテナ
1020  メインボード
1021  グラウンド部分
1023  導電部分
1030  マッチング回路網
1031  マッチング回路網の部分
1032  マッチング回路網の部分
1040  USBコネクタ
1041  ピン
1042  金属シェル
1043  ピン
1100  ワイヤレス通信デバイス
1110  アンテナ
1120  メインボード
1121  グラウンド部分
1123  導電部分
1130  マッチング回路網
1140  USBコネクタ
1141  ピン
1142  金属シェル
1143  ピン
【図１】
0005648875.tif 000002
【図２Ａ】
0005648875.tif 000003
【図２Ｂ】
0005648875.tif 000004
【図３】
0005648875.tif 000005
【図４】
0005648875.tif 000006
【図５】
0005648875.tif 000007
【図６】
0005648875.tif 000008
【図７】
0005648875.tif 000009
【図８】
0005648875.tif 000010
【図９】
0005648875.tif 000011
【図１０】
0005648875.tif 000012
【図１１】
0005648875.tif 000013
【図１２】
0005648875.tif 000014